(57)【要約】  【課題】  ディスクメニューにて表示させるプレビューを見やすくする機能を有する光ディスク装置を提供する。  【解決手段】  各タイトル毎にプレビューを表示して再生する場合、再生するプレビューが最初のタイトルのものである場合、プレビューの内容を再生中、音声信号レベルが高くてＣＭと判定されると、該ＣＭがスキップされる。再生するプレビューは、最初のタイトルのものではなく以降のタイトルのものである場合、前記以降のプレビューの内容を再生中、音声信号レベルが高くてＣＭと判定されると、該ＣＭがスキップされる。また、前記以降のプレビューを再生中に、当該タイトルについて最初のタイトルと比較され、両タイトルのビデオ信号波形またはクローズドキャプションデータが同じで、共通シーンが有ると判定された場合には、共通シーンがスキップされる。【選択図】      図２
2006134432.tif 000002
【特許請求の範囲】
【請求項１】
光ディスクに対して情報を記録／再生、または光ディスクに記録された情報を再生する
光ディスク装置において、光ディスクに記録された情報の各タイトル毎または各チャプタ
−毎にプレビューをディスプレイ装置に表示して再生する場合、再生するプレビューは最
初のタイトルまたはチャプタ−のものであるか否かを記録日に基づいて判定するプレビュ
ー判定手段と、前記再生するプレビューは最初のタイトルまたはチャプタ−のものである
と判定された場合に前記プレビューの内容を再生中に音声信号レベルが所定値よりも高い
か否かを判定する第１の音声レベル判定手段と、前記音声信号レベルが所定値よりも高い
と判定された場合にＣＭと判定して該ＣＭをスキップしてその後の情報を再生する第１の
再生制御手段と、再生するプレビューは最初のタイトルまたはチャプタ−のものではなく
以降のタイトルまたはチャプタ−のものであると前記プレビュー判定手段により判定され
た場合に前記以降のプレビューの内容を再生中に音声信号レベルが所定値よりも高いか否
かを判定する第２の音声レベル判定手段と、前記音声信号レベルが所定値よりも高いと判
定された場合にＣＭと判定して該ＣＭをスキップしてその後の情報を再生する第２の再生
制御手段と、前記以降のプレビューを再生中に当該タイトルまたはチャプタ−について比
較対象である前記最初のタイトルまたはチャプタ−と比較して共通シーンが有るか否かを
ビデオ信号波形またはクローズドキャプションデータに基づいて判定する共通シーン判定
手段と、前記共通シーンが有ると判定された場合に共通シーンをスキップしてその後の情
報を再生する第３の再生制御手段とを有するシステムコントローラを備えたことを特徴と
する光ディスク装置。
【請求項２】
光ディスクに対して情報を記録／再生、または光ディスクに記録された情報を再生する
光ディスク装置において、光ディスクに記録された情報の各タイトル毎または各チャプタ
−毎にプレビューをディスプレイ装置に表示して再生する場合、当該プレビューを再生中
に当該タイトルまたはチャプタ−について比較対象であるタイトルまたはチャプタ−と比
較して共通シーンが有る場合に共通シーンをスキップしてその後の情報を再生する制御を
行うシステムコントローラを備えたことを特徴とする光ディスク装置。
【請求項３】
前記プレビューの内容を再生中に、音声信号レベルが所定値よりも高いとき、ＣＭと判
定して該ＣＭをスキップしてその後の情報を再生する制御を行うシステムコントローラを
備えたことを特徴とする請求項２に記載の光ディスク装置。
【請求項４】
前記共通シーンが有るか否かの判定は、ビデオ信号波形またはクローズドキャプション
データに基づいて行うことを特徴とする請求項２に記載の光ディスク装置。
【請求項５】
前記システムコントローラは、光ディスクに記録された情報の各タイトル毎または各チ
ャプタ−毎にプレビューをディスプレイ装置に表示して再生する場合、再生するプレビュ
ーは最初のタイトルまたはチャプタ−のものであるか否かを記録日に基づいて判定するプ
レビュー判定手段と、前記再生するプレビューは最初のタイトルまたはチャプタ−のもの
であると判定された場合に前記プレビューの内容を再生中に音声信号レベルが所定値より
も高いか否かを判定する第１の音声レベル判定手段と、前記音声信号レベルが所定値より
も高いと判定された場合にＣＭと判定して該ＣＭをスキップしてその後の情報を再生する
第１の再生制御手段と、再生するプレビューは最初のタイトルまたはチャプタ−のもので
はなく以降のタイトルまたはチャプタ−のものであると前記プレビュー判定手段により判
定された場合に前記以降のプレビューの内容を再生中に音声信号レベルが所定値よりも高
いか否かを判定する第２の音声レベル判定手段と、前記音声信号レベルが所定値よりも高
いと判定された場合にＣＭと判定して該ＣＭをスキップしてその後の情報を再生する第２
の再生制御手段と、前記以降のプレビューを再生中に当該タイトルまたはチャプタ−につ
いて比較対象である前記最初のタイトルまたはチャプタ−と比較して共通シーンが有るか
否かをビデオ信号波形またはクローズドキャプションデータに基づいて判定する共通シー
ン判定手段と、前記共通シーンが有ると判定された場合に共通シーンをスキップしてその
後の情報を再生する第３の再生制御手段とを有することを特徴とする請求項２に記載の光
ディスク装置。
【発明の詳細な説明】
【技術分野】
【０００１】
本発明は、光ディスクに対して情報を記録／再生、または光ディスクに記録された情報
を再生する光ディスク装置に関し、特に、光ディスクに記録された情報の各タイトル毎ま
たは各チャプタ−毎にプレビューをディスプレイ装置に表示して再生する機能を有する光
ディスク装置に関する。
【背景技術】
【０００２】
近年、記録密度の高い光ディスクであるＤＶＤ（デジタル・バーサタイル・ディスク）
がテレビ番組などの映像音声情報を記録するのに用いられるようになってきている。この
ようなＤＶＤに情報を記録するＤＶＤレコーダでは、例えばテレビ番組をＤＶＤに記録す
る際に、各テレビ番組は各タイトル毎に番組放送の記録年月日と共にそれぞれ記録される
。そして、そのＤＶＤの再生時にディスクメニュー画面をディスプレイ装置に表示し、そ
のディスクメニュー画面にて、そのＤＶＤのタイトルやチャプタ−を小ウィンドウ（プレ
ビューウインドウ）にて再生させている。
【０００３】
例えば、図３に示すように、ディスクメニュー画面Ｍには、プレビューウインドウＡ，
Ｂ，Ｃ，Ｄ，Ｅ，Ｆが表示されている。プレビューウインドウＡにはタイトルＴ１のプレ
ビューが、プレビューウインドウＢにはタイトルＴ２のプレビューが、プレビューウイン
ドウＣにはタイトルＴ３のプレビューが、プレビューウインドウＤにはタイトルＴ４のプ
レビューが、プレビューウインドウＥにはタイトルＴ５のプレビューが、プレビューウイ
ンドウＦにはタイトルＴ６のプレビューが、それぞれ表示される。タイトルＴ１、タイト
ルＴ２、タイトルＴ３、タイトルＴ４、タイトルＴ５、タイトルＴ６の記録日は、それぞ
れ順に、平成１６年７月２日、平成１６年７月８日、平成１６年７月９日、平成１６年７
月１２日、平成１６年７月１８日、平成１６年７月２０日であることを示している。
【特許文献１】特開平１１−１８４８６７号公報
【特許文献２】特開２００１−２８３５７０号公報
【発明の開示】
【発明が解決しようとする課題】
【０００４】
従来のＤＶＤレコーダやＤＶＤプレイヤーなどの光ディスク装置では、例えば図３に示
すように、ディスクメニュー画面Ｍには、タイトル毎（あるいはチャプタ−毎）にプレビ
ューウインドウＡ，Ｂ，Ｃ，Ｄ，Ｅ，Ｆが並んでいて、タイトル毎の内容を頭から再生す
るが、殆どのテレビ番組にはＣＭ（コマーシャル）が入っているので、頭がＣＭであった
りすると、そのタイトルの内容が分り辛くなる。また、タイトルの頭から再生して、ＣＭ
が無かったとしても、例えば、ドラマであれば、出演者などが表示され、毎回同じオープ
ニング画面が再生されるので、この場合もタイトルの内容が分り辛くなる。
【０００５】
なお、特許文献１の従来技術は、ＤＶＤなどの映画タイトルの映像信号に多重化されて
いるクローズドキャプションデータを利用することにより、映画の中に出てくるセリフを
検索キーとして、目的のセリフを選んで瞬時にその場面から映画を再生できるようにして
いるが、ＣＭや同じシーンをスキップするような処理は施されていないので、ディスクメ
ニュー画面にて表示させるプレビューの内容が分り辛い。
【０００６】
特許文献２の従来技術は、記憶手段に記憶されている所望のメディアコンテンツを効率
的に削除することができるようにしたメディアコンテンツ管理装置に関するものであり、
ＤＶＤレコーダやＤＶＤプレイヤーなどの光ディスク装置に関するものではない。
【０００７】
本発明は、上記のような課題を解決するためになされたもので、ディスクメニューにて
表示させるプレビューを見やすくする機能を有する光ディスク装置を提供することを目的
とする。
【課題を解決するための手段】
【０００８】
上記目的を達成するために、請求項１の発明は、光ディスクに記録された情報の各タイ
トル毎または各チャプタ−毎にプレビューをディスプレイ装置に表示して再生する場合、
再生するプレビューは最初のタイトルまたはチャプタ−のものであるか否かを記録日に基
づいて判定するプレビュー判定手段と、前記再生するプレビューは最初のタイトルまたは
チャプタ−のものであると判定された場合に前記プレビューの内容を再生中に音声信号レ
ベルが所定値よりも高いか否かを判定する第１の音声レベル判定手段と、前記音声信号レ
ベルが所定値よりも高いと判定された場合にＣＭと判定して該ＣＭをスキップしてその後
の情報を再生する第１の再生制御手段と、再生するプレビューは最初のタイトルまたはチ
ャプタ−のものではなく以降のタイトルまたはチャプタ−のものであると前記プレビュー
判定手段により判定された場合に前記以降のプレビューの内容を再生中に音声信号レベル
が所定値よりも高いか否かを判定する第２の音声レベル判定手段と、前記音声信号レベル
が所定値よりも高いと判定された場合にＣＭと判定して該ＣＭをスキップしてその後の情
報を再生する第２の再生制御手段と、前記以降のプレビューを再生中に当該タイトルまた
はチャプタ−について比較対象である前記最初のタイトルまたはチャプタ−と比較して共
通シーンが有るか否かをビデオ信号波形またはクローズドキャプションデータに基づいて
判定する共通シーン判定手段と、前記共通シーンが有ると判定された場合に共通シーンを
スキップしてその後の情報を再生する第３の再生制御手段とを有するシステムコントロー
ラを備えたことを特徴とする光ディスク装置を提供する。
【０００９】
この構成において、光ディスクに記録された情報の各タイトル毎または各チャプタ−毎
にプレビューをディスプレイ装置に表示して再生する場合、再生するプレビューが、最初
のタイトルのものであるとプレビュー判定手段により判定された場合、前記プレビューの
内容を再生中、音声信号レベルが所定値よりも高いと言うことが第１の音声レベル判定手
段により判定された場合に、ＣＭと判定されて、第１の再生制御手段により該ＣＭがスキ
ップされ、その後の情報が引き続き再生される。
【００１０】
再生するプレビューは、最初のタイトルのものではなく以降のタイトルのものであると
前記プレビュー判定手段により判定された場合、前記以降のプレビューの内容を再生中、
音声信号レベルが所定値よりも高いと言うことが第２の音声レベル判定手段により判定さ
れた場合、ＣＭと判定されて、第２の再生制御手段により該ＣＭがスキップされ、その後
の情報が引き続き再生される。
【００１１】
前記以降のプレビューを再生中に、共通シーン判定手段により、当該タイトルについて
前記最初のタイトルと比較され、両タイトルのビデオ信号波形またはクローズドキャプシ
ョンデータが同じで、共通シーンが有ると判定された場合に、第３の再生制御手段により
、共通シーンがスキップされ、その後の情報が引き続き再生される。
【００１２】
この構成によれば、ディスクメニュー画面には、タイトル毎あるいはチャプタ−毎にプ
レビューが並んでいて、タイトル毎あるいはチャプタ−毎の内容を頭から再生するが、Ｃ
Ｍはスキップされ再生されないので、当該タイトル毎あるいはチャプタ−毎の内容が分り
易くなる。また、タイトルあるいはチャプタ−の頭から再生して、ＣＭが無かったとして
も、毎回同じオープニング画面はスキップされ再生されることがないので、この場合もタ
イトルあるいはチャプタ−の内容が分り易くなる。要するに、ディスクメニュー画面にて
表示させるプレビューの内容が見やすくなり、ユーザによっては使い勝手が良くなる。
【００１３】
請求項２の発明は、光ディスクに記録された情報の各タイトル毎または各チャプタ−毎
にプレビューをディスプレイ装置に表示して再生する場合、当該プレビューを再生中に当
該タイトルまたはチャプタ−について比較対象であるタイトルまたはチャプタ−と比較し
て共通シーンが有る場合に共通シーンをスキップしてその後の情報を再生する制御を行う
システムコントローラを備えたことを特徴とする光ディスク装置を提供する。
【００１４】
この構成において、光ディスクに記録された情報の例えば各タイトル毎にプレビューを
ディスプレイ装置に表示して再生する場合、当該プレビューを再生中に当該タイトルにつ
いて比較対象であるタイトルと比較され、共通シーンが有る場合に、その共通シーンがス
キップされ、その後の情報が引き続き再生される。
【００１５】
この構成によれば、ディスクメニュー画面には、タイトル毎あるいはチャプタ−毎にプ
レビューが並んでいて、タイトル毎あるいはチャプタ−毎の内容を頭から再生するが、Ｃ
Ｍはスキップされて再生されないので、当該タイトル毎あるいはチャプタ−毎の内容が分
り易くなる。また、タイトルあるいはチャプタ−の頭から再生して、ＣＭが無かったとし
ても、毎回同じオープニング画面はスキップされ再生されることがないので、この場合も
タイトルあるいはチャプタ−の内容が分り易くなる。要するに、ディスクメニューにて表
示させるプレビューの内容が見やすくなり、ユーザによっては使い勝手が良くなる。
【００１６】
請求項３の発明では、請求項２の発明において、前記プレビューの内容を再生中に音声
信号レベルが所定値よりも高いときＣＭと判定して該ＣＭをスキップしてその後の情報を
再生する制御を行うシステムコントローラを備えたので、タイトル毎あるいはチャプタ−
毎の内容を頭から再生するが、ＣＭはスキップされる。これにより、当該タイトル毎ある
いはチャプタ−毎の内容が分り易くなる。
【００１７】
請求項４の発明では、請求項２の発明において、前記共通シーンが有るか否かの判定は
、ビデオ信号波形またはクローズドキャプションデータに基づいて行うので、例えば当該
タイトルのビデオ信号波形またはクローズドキャプションデータが、比較対象のタイトル
のビデオ信号波形またはクローズドキャプションデータと同じであれば、両タイトル間に
共通シーンが有ると判定することができる。
【００１８】
請求項５の発明では、請求項２の発明において、前記システムコントローラは、光ディ
スクに記録された情報の各タイトル毎または各チャプタ−毎にプレビューをディスプレイ
装置に表示して再生する場合、再生するプレビューは最初のタイトルまたはチャプタ−の
ものであるか否かを記録日に基づいて判定するプレビュー判定手段と、前記再生するプレ
ビューは最初のタイトルまたはチャプタ−のものであると判定された場合に前記プレビュ
ーの内容を再生中に音声信号レベルが所定値よりも高いか否かを判定する第１の音声レベ
ル判定手段と、前記音声信号レベルが所定値よりも高いと判定された場合にＣＭと判定し
て該ＣＭをスキップしてその後の情報を再生する第１の再生制御手段と、再生するプレビ
ューは最初のタイトルまたはチャプタ−のものではなく以降のタイトルまたはチャプタ−
のものであると前記プレビュー判定手段により判定された場合に前記以降のプレビューの
内容を再生中に音声信号レベルが所定値よりも高いか否かを判定する第２の音声レベル判
定手段と、前記音声信号レベルが所定値よりも高いと判定された場合にＣＭと判定して該
ＣＭをスキップしてその後の情報を再生する第２の再生制御手段と、前記以降のプレビュ
ーを再生中に当該タイトルまたはチャプタ−について比較対象である前記最初のタイトル
またはチャプタ−と比較して共通シーンが有るか否かをビデオ信号波形またはクローズド
キャプションデータに基づいて判定する共通シーン判定手段と、前記共通シーンが有ると
判定された場合に共通シーンをスキップしてその後の情報を再生する第３の再生制御手段
とを有するので、タイトル毎あるいはチャプタ−毎の内容を頭から再生するが、ＣＭはス
キップされ再生されないようにでき、また、タイトルあるいはチャプタ−の頭から再生し
てＣＭが無かったとしても、毎回同じオープニング画面はスキップされ再生されないよう
にできる。
【発明の効果】
【００１９】
以上のように本発明によれば、光ディスクに記録された情報の各タイトル毎または各チ
ャプタ−毎にプレビューをディスプレイ装置に表示して再生する場合、再生するプレビュ
ーは最初のタイトルまたはチャプタ−のものであるか否かを記録日に基づいて判定するプ
レビュー判定手段と、前記再生するプレビューは最初のタイトルまたはチャプタ−のもの
であると判定された場合に前記プレビューの内容を再生中に音声信号レベルが所定値より
も高いか否かを判定する第１の音声レベル判定手段と、前記音声信号レベルが所定値より
も高いと判定された場合にＣＭと判定して該ＣＭをスキップしてその後の情報を再生する
第１の再生制御手段と、再生するプレビューは最初のタイトルまたはチャプタ−のもので
はなく以降のタイトルまたはチャプタ−のものであると前記プレビュー判定手段により判
定された場合に前記以降のプレビューの内容を再生中に音声信号レベルが所定値よりも高
いか否かを判定する第２の音声レベル判定手段と、前記音声信号レベルが所定値よりも高
いと判定された場合にＣＭと判定して該ＣＭをスキップしてその後の情報を再生する第２
の再生制御手段と、前記以降のプレビューを再生中に当該タイトルまたはチャプタ−につ
いて比較対象である前記最初のタイトルまたはチャプタ−と比較して共通シーンが有るか
否かをビデオ信号波形またはクローズドキャプションデータに基づいて判定する共通シー
ン判定手段と、前記共通シーンが有ると判定された場合に共通シーンをスキップしてその
後の情報を再生する第３の再生制御手段とを有するシステムコントローラを備えたので、
ディスクメニュー画面には、タイトル毎あるいはチャプタ−毎にプレビューが並んでいて
、タイトル毎あるいはチャプタ−毎の内容を頭から再生するが、ＣＭはスキップされ再生
されない。これにより、当該タイトル毎あるいはチャプタ−毎の内容が分り易くなる。ま
た、タイトルあるいはチャプタ−の頭から再生して、ＣＭが無かったとしても、毎回同じ
オープニング画面はスキップされ再生されることがないので、この場合もタイトルあるい
はチャプタ−の内容が分り易くなる。要するに、ディスクメニューにて表示させるプレビ
ューの内容が見やすくなり、ユーザによっては使い勝手が良くなる。
【００２０】
また、本発明によれば、光ディスクに記録された情報の各タイトル毎または各チャプタ
−毎にプレビューをディスプレイ装置に表示して再生する場合、当該プレビューを再生中
に当該タイトルまたはチャプタ−について比較対象であるタイトルまたはチャプタ−と比
較して共通シーンが有る場合に共通シーンをスキップしてその後の情報を再生する制御を
行うシステムコントローラを備えたので、ディスクメニュー画面には、タイトル毎あるい
はチャプタ−毎にプレビューが並んでいて、タイトル毎あるいはチャプタ−毎の内容を頭
から再生するが、ＣＭはスキップされて再生されない。これにより、当該タイトル毎ある
いはチャプタ−毎の内容が分り易くなる。また、タイトルあるいはチャプタ−の頭から再
生して、ＣＭが無かったとしても、毎回同じオープニング画面はスキップされ再生される
ことがないので、この場合もタイトルあるいはチャプタ−の内容が分り易くなる。要する
に、ディスクメニューにて表示させるプレビューの内容が見やすくなり、ユーザによって
は使い勝手が良くなる。
【発明を実施するための最良の形態】
【００２１】
以下、添付図面を参照しつつ、本発明の実施の形態について説明する。図１は本発明の
一実施形態に係る光ディスク装置（ＤＶＤレコーダなどの光ディスク記録再生装置）の構
成を示すブロック図である。
【００２２】
この光ディスク装置は、光ディスク１を回転させるスピンドルモータ５と、光ディスク
１に対して情報を記録／再生するためのレーザ光を出射すると共に光ディスク１からの反
射光を受光する光ピックアップ２と、この光ピックアップ２を光ディスク１の半径方向に
移動させるためのスレッド３と、システムコントローラ２２の指示に応じてスピンドルモ
ータ５およびスレッド３を駆動すると共に光ピックアップ２に内蔵された対物レンズ（図
示せず）を動かすことによりレーザ光の焦点位置を光ディスク１の記録面に対して垂直方
向および水平方向に移動させる制御を行うサーボ制御部４とを備えている。
【００２３】
また、この光ディスク装置は、光ディスク１の再生時に光ピックアップ２からの読取信
号であるＲＦ信号を増幅するＲＦアンプ６と、このＲＦアンプ６から出力されたＲＦ信号
をデジタルデータに変換した後に光ディスク１のデータフォーマットに応じた信号復調処
理と誤り訂正処理を行って生成したデータをＲＡＭ７に格納するデジタル信号処理部８と
、システムコントローラ２２の指示に応じてデジタル信号処理部８から出力されたデータ
ストリームの中からオーディオデータとサブピクチャデータとビデオデータとを分離する
ストリーム分離部９とを備えている。
【００２４】
また、この光ディスク装置は、ストリーム分離部９から出力されたオーディオデータを
入力して所定のデコード処理を行うオーディオデコーダ１１と、このオーディオデコーダ
１１でのデコード処理を行うためにデータを一時的に格納するＲＡＭ１０と、ストリーム
分離部９から出力されたサブピクチャデータを入力して所定のデコード処理を行うサブピ
クチャデコーダ１３と、このサブピクチャデコーダ１３でのデコード処理を行うためにデ
ータを一時的に格納するＲＡＭ１２と、ストリーム分離部９から出力されたビデオデータ
を入力して所定のデコード処理を行うビデオデコーダ１５と、このビデオデコーダ１５で
のデコード処理を行うためにデータを一時的に格納するＲＡＭ１４とを備えている。
【００２５】
また、この光ディスク装置は、システムコントローラ２２の指示に応じてビデオデコー
ダ１５から出力されたデータとサブピクチャデコーダ１３から出力されたデータとを合成
するビデオプロセッサ１７と、このビデオプロセッサ１７から出力された合成データを表
示用のビデオ信号に変換して画像をディスプレイ装置２０に表示させるビデオエンコーダ
１８と、オーディオデコーダ１１から出力されたデータをアナログのオーディオ信号に変
換して例えばスピーカ１９に供給するＤ／Ａ変換器１６とを備えている。
【００２６】
また、この光ディスク装置は、システムコントローラ２２に対して、記録指示を与える
ための記録キー、再生指示を与えるための再生キー、記録や再生の停止指示を与えるため
の停止キーなど、各種操作キーを有する操作部２１と、装置全体を制御する前記システム
コントローラ２２とを備えている。なお、操作部２１は、リモートコントローラであって
も良いし、装置本体の操作パネルに設けられた操作部であっても良い。
【００２７】
また、この光ディスク装置は、装置の各構成要素を制御したり、装置全体を制御したり
するためのプログラムやデータが記憶されたフラッシュＲＯＭ２３と、このフラッシュＲ
ＯＭ２３のプログラムやデータに従って演算処理を行いシステムコントローラ２２を制御
するＣＰＵ２４とを備えている。
【００２８】
また、この光ディスク装置は、図示しないテレビジョン受信機やパーソナルコンピュー
タなどから送られてきた映像音声データを光ディスク１に記録するために変調をかける記
録データ変調回路２５と、この記録データ変調回路２５により変調された変調データに基
づいて光ピックアップ２から出射するレーザ光を変調させるためのレーザ変調信号を光ピ
ックアップ２に出力するレーザ変調回路２６とを備えている。
【００２９】
システムコントローラ２２は、本実施形態の特徴とする構成要素として、光ディスク１
に記録された情報の各タイトル毎または各チャプタ−毎にプレビューをディスプレイ装置
２０に表示して再生する場合、再生するプレビューは最初のタイトルまたはチャプタ−の
ものであるか否かを記録日に基づいて判定するプレビュー判定手段２２１と、前記再生す
るプレビューは最初のタイトルまたはチャプタ−のものであると判定された場合に前記プ
レビューの内容を再生中に音声信号レベルが所定値よりも高いか否かを判定する第１の音
声レベル判定手段２２２と、前記音声信号レベルが所定値よりも高いと判定された場合に
ＣＭと判定して該ＣＭをスキップしてその後の情報を再生する第１の再生制御手段２２３
とを有する。
【００３０】
また、システムコントローラ２２は、再生するプレビューは最初のタイトルまたはチャ
プタ−のものではなく以降のタイトルまたはチャプタ−のものであると前記プレビュー判
定手段２２１により判定された場合に前記以降のプレビューの内容を再生中に音声信号レ
ベルが所定値よりも高いか否かを判定する第２の音声レベル判定手段２２４と、前記音声
信号レベルが所定値よりも高いと判定された場合にＣＭと判定して該ＣＭをスキップして
その後の情報を再生する第２の再生制御手段２２５とを有する。
【００３１】
更に、システムコントローラ２２は、前記以降のプレビューを再生中に当該タイトルま
たはチャプタ−について比較対象である前記最初のタイトルまたはチャプタ−と比較して
共通シーンが有るか否かをビデオ信号波形またはクローズドキャプションデータに基づい
て判定する共通シーン判定手段２２６と、前記共通シーンが有ると判定された場合に共通
シーンをスキップしてその後の情報を再生する第３の再生制御手段２２７とを有する。ク
ローズドキャプションデータとは、耳が不自由な人のために音声情報と同等な情報をテキ
スト情報として供給されるデータであり、テレビ画面上では画像の端の方に字幕形式で表
示される。
【００３２】
図２は本実施形態の光ディスク装置におけるプレビュー再生処理を説明するためのフロ
ーチャートである。このフローチャートを参照して本実施形態の光ディスク装置における
プレビュー再生処理を説明する。
【００３３】
先ず、この光ディスク装置に光ディスク（ＤＶＤ）１を装填して（ステップＳ１）、こ
の光ディスク１からディスク情報を光ピックアップ２により読み出し、そのディスク情報
を、前述した動作を行うＲＦアンプ６、デジタル信号処理部８、ストリーム分離部９、サ
ブピクチャデコーダ１３、ビデオデコーダ１５、ビデオプロセッサ１７、およびビデオエ
ンコーダ１８により処理し、これにより、ディスプレイ装置２０には、タイトルリスト（
プレビュー）、例えば図３に示すようなディスクメニュー画面Ｍが表示される（ステップ
Ｓ２）。
【００３４】
次に、各タイトル毎にプレビューを再生する処理に移る（ステップＳ３）。光ディスク
１に記録された情報の各タイトル毎にプレビューをディスプレイ装置２０に表示して再生
する場合、システムコントローラ２２のプレビュー判定手段２２１は、再生するプレビュ
ーが最初のタイトルのものであるか否かを記録日に基づいて判定する（ステップＳ４）。
図３では、タイトルＴ１の記録日が平成１６年７月２日を示しているので、タイトルＴ１
が最初のタイトルであることが分る。
【００３５】
このようにして、再生するプレビューが最初のタイトルのものであると言うことがプレ
ビュー判定手段２２１により判定された場合、前記プレビューの内容を再生中、システム
コントローラ２２の第１の音声レベル判定手段２２２は、ストリーム分離部９からのオー
ディオデータに基づいて音声信号レベルが所定値よりも高いか否かを判定する（ステップ
Ｓ５）。ここの所定値とは、ＣＭ以外の通常放送時の音声信号レベルを言い、この比較基
準となる音声信号レベルのデータは例えばフラッシュＲＯＭ２３に記憶されている。
【００３６】
その音声信号レベルが所定値よりも高いと言うことが第１の音声レベル判定手段２２２
により判定された場合に、この時の音声信号レベルはＣＭによる音声信号レベルであると
判定され（ステップＳ６）、これにより、システムコントローラ２２の第１の再生制御手
段２２３は、ＣＭをスキップさせるために、サーボ制御部４を介してスレッド３を移動さ
せ、光ピックアップ２をスキップ動作させる（ステップＳ７）。
【００３７】
ステップＳ５において、音声信号レベルが所定値以下であると判定された場合は、ＣＭ
がないので、そのまま再生される（ステップＳ９）。ステップＳ８において、最初のタイ
トルが再生終了したと判定された場合は、ステップＳ４の処理に戻り、次に再生するプレ
ビューは最初のタイトルのものではないので、次のプレビューを再生することになる（ス
テップＳ１０）。例えば、プレビューウインドウＡに表示された最初のタイトルＴ１のプ
レビューの次のプレビューウインドウＢに表示されたタイトルＴ２のプレビューを選択し
た場合、タイトルＴ２のプレビューを再生することになる。
【００３８】
このタイトルＴ２のプレビューの内容を再生中、ストリーム分離部９からのオーディオ
データに基づく音声信号レベルが所定値よりも高いことが、システムコントローラ２２の
第２の音声レベル判定手段２２４により判定された場合（ステップＳ１１）、この音声信
号はＣＭによるものであると判定されて（ステップＳ１２）、第２の再生制御手段２２５
により、サーボ制御部４を介してスレッド３が動かされ、光ピックアップ２がスキップ動
作し、これにより、該ＣＭがスキップされ、その後の情報が引き続き再生される（ステッ
プＳ１３）。
【００３９】
また、ステップＳ１１，Ｓ１２，Ｓ１３の処理と並行して、ステップＳ１５，Ｓ１６，
Ｓ１７，Ｓ１８の処理が行われる。即ち、システムコントローラ２２の共通シーン判定手
段２２６は、次のプレビューを再生中に当該タイトルについて比較対象である前記最初の
タイトルまたはチャプタ−と比較して（ステップＳ１５）、共通シーンが有るか否かをビ
デオ信号波形またはクローズドキャプションデータに基づいて判定する（ステップＳ１６
）。
【００４０】
例えば、図３において、プレビューウインドウＢに表示されるタイトルＴ２について、
プレビューウインドウＡに表示されるタイトルＴ１と比較され、両タイトルのビデオ信号
波形またはクローズドキャプションデータが同じで、共通シーンが有ると判定された場合
には、システムコントローラ２２の第３の再生制御手段２２７により、サーボ制御部４を
介してスレッド３が動かされ、光ピックアップ２がスキップ動作し、これにより、共通シ
ーンがスキップされ（ステップＳ１７）、その後の情報が引き続き再生される。
【００４１】
ステップＳ２０でのそのまま再生する処理、ステップＳ１７でのＣＭスキップ処理、ス
テップＳ１８でのそのまま再生する処理の後、当該タイトルの再生が終了すると（ステッ
プＳ１４）、その次のタイトル再生が無い場合は、本処理は終了するが、その次のタイト
ル再生が有る場合は（ステップＳ１９）、ステップＳ１１およびステップＳ１５への処理
に移り、同様な処理が繰り返される。
【００４２】
以上説明したように本実施形態によれば、ディスクメニュー画面には、タイトル毎にプ
レビューが並んでいて、タイトル毎の内容を頭から再生するが、ＣＭはスキップされ再生
されないので、当該タイトル毎の内容が分り易くなる。また、タイトルの頭から再生して
、ＣＭが無かったとしても、毎回同じオープニング画面はスキップされ再生されることが
ないので、この場合もタイトルの内容が分り易くなる。要するに、ディスクメニュー画面
にて表示させるプレビューの内容が見やすくなり、ユーザによっては使い勝手が良くなる
。
【００４３】
なお、上記実施形態では、例えば、図３において、タイトルＴ１，Ｔ２，Ｔ３，Ｔ４，
Ｔ５，Ｔ６が同じシリーズのテレビ番組であり、最初のタイトルがタイトルＴ１であり、
このタイトルＴ１を基準として、それ以降のタイトルＴ２，Ｔ３，Ｔ４，Ｔ５，Ｔ６でタ
イトルＴ１との共通シーンをスキップするようにしたが、例えば、タイトルＴ３とタイト
ルＴ５とタイトルＴ６とが同じシリーズのテレビ番組であったとすると、タイトルＴ５や
タイトルＴ６のシーンの比較対象は、タイトルＴ３となり、このタイトルＴ３を最初のタ
イトルであると見なし、同様なスキップ処理を行うことができる。
【００４４】
また、上記実施形態では、タイトル毎のプレビューをディスクメニューに表示し、プレ
ビューを再生する処理について説明したが、チャプタ−毎のプレビューをディスクメニュ
ーに表示し、プレビューを再生する処理であっても同様な動作によって行うことが可能で
ある。また、上記実施形態では、ＤＶＤレコーダなどの光ディスク装置について説明した
が、ＤＶＤプレイヤーなどの光ディスク装置であっても同様な処理によりプレビュー再生
は可能である。
【図面の簡単な説明】
【００４５】
【図１】本発明の一実施形態に係る光ディスク装置の構成を示すブロック図である。
【図２】前記実施形態の光ディスク装置におけるプレビュー再生処理を説明するためのフローチャートである。
【図３】従来の光ディスク装置または前記実施形態の光ディスク装置におけるディスクメニュー画面を示す図である。
【符号の説明】
【００４６】
２０    ディスプレイ装置
２２    システムコントローラ
２２１    プレビュー判定手段
２２２    第１の音声レベル判定手段
２２３    第１の再生制御手段
２２４    第２の音声レベル判定手段
２２５    第２の再生制御手段
２２６    共通シーン判定手段
２２７    第３の再生制御手段
【図１】
2006134432.tif 000003
【図２】
2006134432.tif 000004
【図３】
2006134432.tif 000005